【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
視感度最高色である第一色のサブ画素と第二色のサブ画素と視感度最低色である第三色のサブ画素とを内包する画素が２次元に配列され、
前記第一色のサブ画素及び前記第二色のサブ画素は、列方向に配列され、
前記第三色のサブ画素は、前記第一色のサブ画素及び前記第二色のサブ画素に対して、
行方向に配置され、
各々の色の前記サブ画素は、当該サブ画素を駆動するトランジスタと、前記トランジスタに接続されるアノード電極と、前記アノード電極上に形成される素子分離膜と、前記素子分離膜に設けた開口部を覆うように形成される発光材料と、前記発光材料上に形成されるカソード電極と、を含み、前記素子分離膜の開口部によって前記サブ画素の発光領域が規定される表示デバイスにおいて、
前記列方向に隣接する画素は、奇数列では奇数行と次の偶数行とで組を成し、偶数列では偶数行と次の奇数行とで組を成し、
各々の前記組の２つの画素の２つの前記第三色のサブ画素は、前記発光材料が連続して形成されると共に前記発光領域が分離しており、前記発光領域の形状が当該２つの第三色のサブ画素を区切る中心線に対して線対称になっている、
ことを特徴とする表示デバイス。
【請求項２】
前記２つの第三色のサブ画素の前記発光領域は、各々、前記トランジスタと前記アノード電極とを接続するためのコンタクト部近傍に窪みを有し、前記窪みは、前記２つの第三色のサブ画素の前記中心線に対して線対称に配置されている、
ことを特徴とする請求項１に記載の表示デバイス。
【請求項３】
前記２つの第三色のサブ画素の中心位置は、前記組の２つの画素の中心位置に対して、
前記列方向、かつ、前記画素内の前記第二色のサブ画素から前記第一色のサブ画素に向かう方向にずれている、
ことを特徴とする請求項１又は２に記載の表示デバイス。
【請求項４】
前記第一色はＧ（Green）、前記第二色はＲ（Red）、前記第三色はＢ（Blue）である、ことを特徴とする請求項１乃至３のいずれか一に記載の表示デバイス。
【請求項５】
前記発光材料は、有機ＥＬ材料であり、
前記有機ＥＬ材料は、メタルマスクの開口部を介して堆積され、
前記第一色及び前記第二色のサブ画素の前記有機ＥＬ材料は、画素毎に分離した前記メタルマスクの開口部を介して堆積され、
前記第三色のサブ画素の前記有機ＥＬ材料は、前記２つの第三色のサブ画素を跨ぐ開口部を介して堆積される、ことを特徴とする請求項１乃至４のいずれか一に記載の表示デバイス。
【請求項６】
請求項１乃至４のいずれか一に記載の表示デバイスを備える、ことを特徴とする電気光学機器。
【請求項７】
請求項１乃至５のいずれか一に記載の表示デバイスがフレキシブル基板上に形成された有機エレクトロルミネッセンス装置を表示装置として備える、ことを特徴とする電気機器。
【請求項８】
基板上に画素アレイを形成する際に使用されるメタルマスクであって、
前記画素アレイは、視感度最高色である第一色のサブ画素と第二色のサブ画素と視感度最低色である第三色のサブ画素とを内包する画素が２次元に配列され、
前記第一色のサブ画素及び前記第二色のサブ画素は、列方向に配列され、
前記第三色のサブ画素は、前記第一色のサブ画素及び前記第二色のサブ画素に対して、
行方向に配置されており、
前記第三色の発光材料を堆積するためのメタルマスクは、前記列方向に隣接する２つの前記第三色のサブ画素を跨ぐ開口部を有し、前記開口部は、奇数列と偶数列とで前記第一色のサブ画素又は前記第二色のサブ画素に対応する１行分ずれている、ことを特徴とするメタルマスク。
【請求項９】
第一列に配列された複数の開口部と、前記第一列の隣の第二列に配列された複数の開口部とを有するメタルマスク部材を備えており、
前記第一列の開口部の辺が、前記第二列の第一開口部の辺の一部及び前記第二列の前記第一開口部の隣の第二開口部の辺の一部と対向している、ことを特徴とするメタルマスク。
【請求項１０】
前記メタルマスク部材は、第三列に配列された複数の開口部を更に備えており、
前記第二列は、前記第一列と前記第三列との間にあり、
前記第一列の開口部の辺は、前記第一開口部の辺の一部、前記第二開口部の辺の一部、及び前記第三列の開口部の辺の一部と対向している、ことを特徴とする請求項９に記載のメタルマスク。
【請求項１１】
前記第一列乃至第三列に配列された前記開口部は夫々、２つの短辺及び２つの長辺を有し、
前記第一列に配列された前記開口部の２つの短辺及び前記第三列に配列された前記開口部の２つの短辺は、行方向で同じ位置に配置されており、
前記第二列に配列された前記開口部の２つの短辺は、前記第一列及び前記第三列に配列された前記開口部の２つの短辺とは行方向で異なる位置に配置されている、ことを特徴とする請求項１０に記載のメタルマスク。
【請求項１２】
視感度最高色である第一色のサブ画素と第二色のサブ画素と視感度最低色である第三色のサブ画素とを内包する画素が２次元に配列され、
前記第一色のサブ画素及び前記第二色のサブ画素は、列方向に配列され、
前記第三色のサブ画素は、前記第一色のサブ画素及び前記第二色のサブ画素に対して、
行方向に配置された画素アレイにおいて、
前記列方向に隣接する画素は、奇数列では奇数行と次の偶数行とで組を成し、偶数列では偶数行と次の奇数行とで組を成し、
各々の前記組の２つの画素の２つの前記第三色のサブ画素は、発光領域の形状が当該２つの第三色のサブ画素を区切る中心線に対して線対称になっている、
ことを特徴とする画素アレイ。
【請求項１３】
前記２つの第三色のサブ画素は、各々、前記発光領域に窪みを有し、前記窪みは、前記２つの第三色のサブ画素の前記中心線に対して線対称に配置されている、
ことを特徴とする請求項１２に記載の画素アレイ。
【請求項１４】
前記２つの第三色のサブ画素の中心位置は、前記組の２つの画素の中心位置に対して、
前記列方向、かつ、前記画素内の前記第二色のサブ画素から前記第一色のサブ画素に向かう方向にずれている、
ことを特徴とする請求項１２又は１３に記載の画素アレイ。
【請求項１５】
前記第一色はＧ（Green）、前記第二色はＲ（Red）、前記第三色はＢ（Blue）である、ことを特徴とする請求項１２乃至１４のいずれか一に記載の画素アレイ。
【請求項１６】
第一色乃至第三色のサブ画素を夫々有して、２次元に配列された複数の画素を備え、
前記第一色のサブ画素及び前記第二色のサブ画素の各々が、第Ｎ（Ｎは整数）列及び第Ｎ＋２列に配置され、前記第三色のサブ画素は、第Ｎ＋１列及び第Ｎ＋３列に配置されており、
前記第一色のサブ画素及び前記第二色のサブ画素は、互いに異なる行に交互に配置されており、
前記第Ｎ列に配置された第一色のサブ画素及び第二色のサブ画素並びに前記第Ｎ＋１列に配置された第三色のサブ画素を有する第一の画素の前記第三色のサブ画素と、前記第一の画素と列方向に隣接する第二の画素の前記第三色のサブ画素との列方向における第一の距離は、前記第一の画素と行方向に隣接する第三の画素の前記第三色のサブ画素と、前記第三の画素と列方向に隣接して前記第二の画素と行方向に隣接する第四の画素の前記第三色のサブ画素との列方向における第二の距離と異なっている、ことを特徴とする表示デバイス。
【請求項１７】
前記第一の距離は前記第二の距離より短い、ことを特徴とする請求項１６に記載の表示デバイス。
【請求項１８】
前記第一の画素に含まれる前記第三色のサブ画素の中心と前記第一の画素に含まれる前記第一色又は前記第二色のサブ画素の中心との列方向における距離が、前記第二の画素に含まれる前記第三色のサブ画素の中心と前記第二の画素に含まれる前記第一色又は前記第二色のサブ画素の中心との列方向における距離より短い、ことを特徴とする請求項１６又は１７に記載の表示デバイス。
【請求項１９】
前記第一色乃至第三色のサブ画素の各々は、列方向に沿って延びる２つの辺を有し、
前記第一の画素に含まれる前記第三色のサブ画素の一方の辺は、前記第一の画素に含まれる第二色のサブ画素の一方の辺全体と対向し、
前記第二の画素に含まれる前記第三色のサブ画素の一方の辺は、前記第二の画素に含まれる第一色のサブ画素の一方の辺全体と対向する、ことを特徴とする請求項１６乃至１８のいずれか一に記載の表示デバイス。
【請求項２０】
前記第一の画素に含まれる前記第三色のサブ画素の一方の辺は、前記第一の画素に含まれる第一色のサブ画素の一方の辺の一部と更に対向し、
前記第二の画素に含まれる前記第三色のサブ画素の一方の辺は、前記第二の画素に含まれる第二色のサブ画素の一方の辺の一部と更に対向する、ことを特徴とする請求項１９に記載の表示デバイス。
【請求項２１】
前記第三の画素に含まれる前記第三色のサブ画素の一方の辺は、前記第三の画素に含まれる第一色のサブ画素の一方の辺全体と対向し、
前記第四の画素に含まれる前記第三色のサブ画素の一方の辺は、前記第四の画素に含まれる第二色のサブ画素の一方の辺全体と対向する、ことを特徴とする請求項１９又は２０に記載の表示デバイス。
【請求項２２】
前記第三の画素に含まれる前記第三色のサブ画素の一方の辺は、前記第三の画素に含まれる第二色のサブ画素の一方の辺の一部と更に対向し、
前記第四の画素に含まれる前記第三色のサブ画素の一方の辺は、前記第四の画素に含まれる第一色のサブ画素の一方の辺の一部と更に対向する、ことを特徴とする請求項２１に記載の表示デバイス。
【請求項２３】
前記第三色のサブ画素の発光領域が、前記第一色のサブ画素の発光領域、及び前記第二色のサブ画素の発光領域より大きい、ことを特徴とする請求項１６乃至２２のいずれか一に記載の表示デバイス。
【請求項２４】
前記第三色は青である、ことを特徴とする請求項１６乃至２３のいずれか一に記載の表示デバイス。